(57)【要約】【課題】  アンカーボルトに固定する作業が容易で、柱を正確に設置することができ、強度的にも優れた柱脚金物の提供。【解決手段】  アンカーボルト１に挿通する座金２と、アンカーボルトに捩じ込み座金を固定するナット３と、柱４の下部に差し込んで固定するシャフト５と、二つ割り状に形成され座金とシャフトの下端部を係合した状態で挟持する連結体６と、連結体の外側に上方から嵌め込む外筒７とを備え、連結体と外筒との接合面１５，１７は、下から上に向って細くなるテーパー状に形成してあることを特徴とする。【選択図】      図１
2005030194.tif 000002
【特許請求の範囲】
【請求項１】
アンカーボルト（１）に挿通する座金（２）と、アンカーボルトに捩じ込み座金を固定するナット（３）と、柱（４）の下部に差し込んで固定するシャフト（５）と、二つ割りに形成され座金とシャフトの下端部を係合した状態で挟持する連結体（６）と、連結体の外側に上方から嵌め込む外筒（７）とを備え、連結体と外筒の接合面（１５，１７）は、下から上に向って細くなるテーパー状に形成してあることを特徴とする柱脚金物。
【請求項２】
座金（２）に連結体（６）が係合する鍔（８）を設け、シャフト（５）の下端部に連結体（６）が係合する溝（９）を設けたことを特徴とする請求項１記載の柱脚金物。
【請求項３】
アンカーボルト（１）に挿通する座金（２１）と、アンカーボルトに捩じ込み座金を固定するナット（３）と、柱（４）の下部に差し込んで固定するシャフト（５）と、座金とシャフトとを連結する連結体（２２）とを備え、連結体（２２）は、略円筒状の周壁（２３）と、シャフトの取付部（２４）を有する上壁（２５）とからなり、座金（２１）と連結体周壁（２３）の下部とがネジ式に結合することを特徴とする柱脚金物。
【請求項４】
座金（２，２１）のアンカーボルト挿通孔（１０）を長孔に形成してあることを特徴とする請求項１，２又は３記載の柱脚金物。
【発明の詳細な説明】
【技術分野】
【０００１】
本発明は、柱の下部を基礎のアンカーボルトに連結して固定するための柱脚金物に関するものである。
【背景技術】
【０００２】
木造建築における柱脚金物の従来例として、図８に示す形態のものがある。この柱脚金物は、基礎９０上に載置して固定されるボックス部９１と、その上に立設したシャフト部９２とから構成され、ボックス部は下面に設けた抜き孔にアンカーボルト９３を挿通し、ナット９４を螺合して基礎に固定され、シャフト部９２は柱９５の下面に設けた穴に差し込まれ、柱の二方向の側面より固定ピン９６を打ち込んで柱に固定される。ボックス部９１は、四角い箱状になったものと円筒状になったものとがある（特許文献１、特許文献２参照。）。ボックス部９１には、ナット９４を内部に挿入するとともに、そのナットをレンチで締め付けるために、側面の両側に開口９７を設けてある。シャフト部には、固定ピンの挿通孔９８が、９０度ずつ向きを変えて上下に複数設けてあるが、この孔の向きは柱に空けた孔の向きと合わせる必要があって、そのためにボックス部９１の外周下部に目印９９を付し、その目印を基礎９０上の柱の立設位置に引いた墨線に合わせた状態でボックス部９１を固定している。
【０００３】
上記構造の柱脚金物には、以下のような不都合があった。まずナット９４を締め付ける際、レンチを動かせる範囲が開口９７によって制限され、少しずつしかナットを回せないため、煩わしいこと。そうかといって、開口９７をあまり大きくすると、強度が低下して好ましくない。また、ボックス部９１に設けてある位置合わせ用の目印９９が見づらい上に、ナット９４をレンチで締め付ける際にボックス部９１が回転してしまうこともあるため、ボックス部９１を墨線に合わせて正確に固定することが容易ではなかった。さらに、ボックス部９１を土台１００に埋込むために、土台にかなり大きな穴を彫らなければならず、土台の強度を低下させることとなっていた。
【特許文献１】特開平１１−１４８１８１号公報
【特許文献２】意匠登録１１２６５６９号公報
【発明の開示】
【発明が解決しようとする課題】
【０００４】
本発明は、以上に述べた実情に鑑みてなされたものであって、アンカーボルトに固定する作業が容易で、柱を正確に設置することができ、強度的にも優れた柱脚金物の提供を目的とする。
【課題を解決するための手段】
【０００５】
上記の課題を達成するために本発明の柱脚金物は、アンカーボルトに挿通する座金と、アンカーボルトに捩じ込み座金を固定するナットと、柱の下部に差し込んで固定するシャフトと、二つ割りに形成され座金とシャフトの下端部を係合した状態で挟持する連結体と、連結体の外側に上方から嵌め込む外筒とを備え、連結体と外筒の接合面は、下から上に向って細くなるテーパー状に形成してあることを特徴とする。
【０００６】
請求項２記載の発明は、座金に連結体が係合する鍔を設け、シャフトの下端部に連結体が係合する溝を設けたことを特徴とする。
【０００７】
請求項３記載の発明による柱脚金物は、アンカーボルトに挿通する座金と、アンカーボルトに捩じ込み座金を固定するナットと、柱の下部に差し込んで固定するシャフトと、座金とシャフトとを連結する連結体とを備え、連結体は、略円筒状の周壁と、シャフトの取付部を有する上壁とからなり、座金と連結体周壁の下部とがネジ式に結合することを特徴とする。ネジ式に結合するとは、座金の外周と連結体周壁の内周などに突条や溝が形成してあり、連結体を回転することによりそれらが係合して二つの部材が結合することを云う。
【０００８】
請求項４記載の発明は、上記の柱脚金物において、座金のアンカーボルト挿通孔を長孔に形成してあることを特徴とする。
【発明の効果】
【０００９】
請求項１記載の発明による柱脚金物は、座金とナットをアンカーボルトに取付けてから、座金とシャフトの下端部を二つ割りに形成した連結体で挟み、連結体の外側に外筒を嵌め込む構成としたので、ナットの締め付けに苦労することもなければ、シャフトの固定ピン挿通穴が柱と合わないといったこともなく、容易に取付けできる。また、連結体と外筒の接合面が、下から上に向って細くなるテーパー状に形成してあることで、嵌め込んだ外筒はクサビの作用によって抜けることがなくなると同時に外筒が連結体を圧迫し、連結体は座金と柱の下端部を係合した状態で挟持することから、各部品が一体的に結合して高い強度を発揮する。また、金物の根本部分の大きさを従来のものよりもコンパクトに構成することが可能であり、その結果として土台等に大きな穴を空けなくて済むため、躯体の強度向上にも貢献する。
【００１０】
請求項２記載の発明によれば、単純な構造によって座金と柱の下端部を確実に連結体に係合することができる。
【００１１】
請求項３記載の発明による柱脚金物も、座金及びナットと、シャフトと、連結体とに分かれるので、請求項１記載のものと同様に、ナットの締め付けが容易である、シャフトの固定ピン挿通孔を柱のそれと一致させるのが容易である、金物にナット締め付け用の開口を設ける必要がなく、また金物をコンパクトにできることから躯体強度が向上するといった効果があることに加え、連結体が一体に形成され、これを回転させて座金と簡単に結合できるので、請求項１記載のものよりもさらに容易に設置できる。また、連結体は二つ割りに加工したり、外周をテーパー状に加工したりする必要がないので、請求項１記載のものよりも安価に提供できる。
【００１２】
請求項４記載の発明によれば、座金でアンカーボルトの位置のずれを吸収し、柱を正確な位置に立設・固定できる。
【発明を実施するための最良の形態】
【００１３】
以下、本発明の実施の形態を図面に基づいて説明する。図１は本発明の柱脚金物の第一実施形態を示す縦断面図であり、図２は図１のＡ−Ａ断面図であり、図３はこの柱脚金物を設置する際の手順を示している。この柱脚金物は、柱４の下端部を基礎１１のアンカーボルト１に連結して固定するものであって、アンカーボルト１に挿通する座金２と、アンカーボルト１に捩じ込み座金２を固定するナット３と、柱４の下部に差し込んで固定するシャフト５と、座金２とシャフト５の下端部を連結する連結体６と、連結体６の外側に上方から嵌め込む外筒７とから構成されている。
【００１４】
座金２は円盤状に形成され、上面側に鍔８を有している。座金２のアンカーボルト挿通孔１０は長孔に形成してあり、図２に示すように、柱の立設位置を示す墨線１２に対してアンカーボルト１の中心がずれている場合でも、座金２の中心を墨線１２で示す柱４の中心と一致させた状態で基礎１１上に載置することができ、その上からアンカーボルト１にナット３を捩じ込み、座金２が基礎１１に固定される。ナット３は周囲の外形が円形となっており、パイプレンチ等の工具で締め付けられる。なお、ナット３は周囲の外形が四角形ないし六角形であってもよい。
【００１５】
連結体６は外形が略円柱状で、内部が空洞となっており、図２に示すように、中心を通る垂直な切断面２０により二つ割りに形成されている。連結体６の上面と下面には丸孔１３，１４が形成されており、上面の丸孔１３の縁部がシャフト５の下端部に形成した溝９に係合し、下面の丸孔１４の縁部が座金２の鍔８に係合している。連結体６の外周面１５は、下から上に向って径が僅かに細くなるテーパー状に形成してある。実際には、連結体の上端の外径は下端の外径より約２ミリ小さくなっている。二つ割りにした連結体６ａ，６ｂは、アンカーボルト１に座金２とナット３を取付けた後、図３（ｂ）に示すように、座金２とシャフト５の下端部を両側から挟むようにして取付けられる。この状態でシャフト５を回転させ、シャフト５に形成してある固定ピンの挿通孔１６の向きを調整することができる。
【００１６】
外筒７は、図３（ｃ）に示すように、連結体６の外側に上から嵌め込まれる。外筒７の内周面１７は、連結体６の外周面１５に密着するテーパー状に形成してあり、外筒７を連結体６に上から嵌め込んでハンマー等で叩くと、外筒７の内周面１７と連結体６の外周面１５とが密着し、クサビの作用によって外筒７は抜けなくなる。また同時に外筒７が連結体６を強く圧迫し、座金２とシャフト５の下端部が連結体６によって挟持され、シャフト５が回転不能に固定される。また、座金２の鍔８とシャフト５の溝９が連結体６と係合しているので、シャフト５の引き抜きに対して高い強度を有する。
後は従来の柱脚金物と同じように基礎１１上に土台１８を設置し、シャフト５を柱４の下面に形成した穴に差し込んで柱４を立設し、柱４の二方向の側面から固定ピン１９を打ち込んで柱４とシャフト５を固定する。
【００１７】
図４は本発明の柱脚金物の第二実施形態を示す縦断面図であり、図５は図４のＢ−Ｂ断面図であり、図６は設置する途中の分解した状態を示す正面図である。この柱脚金物も、柱４の下端部を基礎１１のアンカーボルト１に連結して固定するもので、アンカーボルト１に挿通する座金２１と、アンカーボルト１に捩じ込み座金２を固定するナット３と、柱４の下部に差し込んで固定するシャフト５と、座金２とシャフト５の下端部とを連結する連結体２２とから構成されている。
【００１８】
座金２１は厚みのある円盤状に形成され、外周に雄ネジ２７を形成してある。座金２の中心部には、図５に示すようにアンカーボルト挿通孔１０が長孔に形成してあり、柱の立設位置を示す墨線１２に対してアンカーボルト１の中心がずれている場合でも、座金２１の中心を墨線１２で示す柱４の中心と一致させた状態で基礎１１上に載置することができ、その上からアンカーボルト１にナット３を捩じ込み、座金２１が基礎１１に固定される。
【００１９】
連結体２２は、円筒状の周壁２３と上壁２５とから一体に形成され、上壁２５には中心部にシャフト５の径と同じ大きさのシャフト挿通孔２４を形成してある。シャフト５は、シャフト挿通孔２４に下方より差し込まれ、下端部に設けた鍔状の係止部２６がシャフト挿通孔２４に係止し、側方より差し込んだピン２９により落ちないように保持されている。なお、ピン２９を用いる代わりに、図７（ａ）に示すように、ナット３０を用いてシャフト５を連結体２２に固定してもよいし、図７（ｂ）に示すように、C形の軸止め輪３１を用いてシャフト５を連結体２２に固定してもよい。連結体周壁２３の内周面の下部側には、座金外周の雄ネジ２７と螺合する雌ネジ２８が形成してあって、これにより連結体２２と座金２１とがネジ式に結合している。
【００２０】
この柱脚金物を設置する際の手順を示すと、まず座金２１をアンカーボルト１に挿通して基礎１１上に載置し、中心を墨線１２で示す柱の中心と合わせてナット３で固定する。連結体２２は、シャフト挿通孔２４にシャフト５を挿通した上で、図６に示すように、周壁内周の雌ネジ２８を座金外周の雄ネジ２７に螺合させ、座金２１と結合する。その後、シャフト５を回転させて固定ピン挿通孔１６の向きを柱と合わせ、ピン２９を差し込んでシャフト５を固定する。後は従来の柱脚金物と同じように基礎１１上に土台１８を設置し、シャフト５を柱４の下面に形成した穴に差し込んで柱４を立設し、柱４の二方向の側面から固定ピン１９を打ち込んで柱４とシャフト５を固定する。
【００２１】
本発明の柱脚金物は、上記実施形態に限定されるものではなく、座金２，２１やナット３、連結体６，２２等の各部品の形態は、それらの機能を発揮できる範囲内で適宜変更してもよい。また本発明の柱脚金物は、布基礎上に柱を立設する場合に限らず、独立基礎に柱を立設する場合にも使用できる。また、図１に示すように土台１８に埋込む形で基礎１１上に直に設置するばかりでなく、土台１８の上に設置して柱４に全体を埋込む形で設置することもできる。第二実施形態においては、座金２１と連結体周壁２３の一方に雄ネジが、他方にこれと羅合する雌ネジが形成してあればよく、ネジの形態はいかなるものであってもよい。
【図面の簡単な説明】
【００２２】
【図１】本発明による柱脚金物の第一実施形態を示す縦断面図である。
【図２】図１のＡ−Ａ断面図である。
【図３（ａ）（ｂ）（ｃ）】第一実施形態に係る柱脚金物の設置する際の手順を示す側面図である。
【図４】本発明による柱脚金物の第二実施形態を示す縦断面図である。
【図５】図１のＢ−Ｂ断面図である。
【図６】第二実施形態に係る柱脚金物の設置する途中の分解した状態を示す正面図である。
【図７（ａ）（ｂ）】シャフトを連結体に固定する構造の例を示す正面図である。
【図８】従来の柱脚金物を使用状態で示す縦断面図である。
【符号の説明】
【００２３】
１  アンカーボルト
２，２１  座金
３  ナット
４  柱
５  シャフト
６，６ａ，６ｂ，２２  連結体
７  外筒
８  鍔
９  溝
１０  アンカーボルト挿通孔
１５  連結体の外周面（接合面）
１７  外筒の内周面（接合面）
２３  周壁
２４  シャフト挿通孔（シャフトの取付部）
２５  上壁
【図１】
2005030194.tif 000003
【図２】
2005030194.tif 000004
【図３（ａ）（ｂ）（ｃ）】
2005030194.tif 000005
【図４】
2005030194.tif 000006
【図５】
2005030194.tif 000007
【図６】
2005030194.tif 000008
【図７（ａ）（ｂ）】
2005030194.tif 000009
【図８】
2005030194.tif 000010